(57)【要約】【課題】コップにおいて、生殖器が後退しているときの負圧と生殖器が前進しているときの抵抗を調整可能であり、男性の生殖器を勃起させることが可能である真空吸引補助器を提供する。【解決手段】コップ１は、中空であり、両端が外側に開口されており、その外径が一端で縮径してネック部を形成する。ネック部は外側に開口する第１開口を有する。ネック部の他端は外側に開口する第２開口を有する。第１開口に結合部材が設けられている。調節部材３は、結合部材２に締め付けられており、結合部材２との間に通気可能な隙間が存在し、結合部材２に対して緩めると隙間の大きさを調整することが可能である。結合部材２は縦方向に沿う少なくとも一つのエア通路を有する。エア通路により、調節部材３と結合部材２との間のエアの流動を補助することが可能である。閉鎖アセンブリは制止部材とフィルム台とフィルムとを有する。【選択図】図１
2016504122.tif 000002
【特許請求の範囲】
【請求項１】
中空かつ両端が開口されており、外径が一端で縮径しネック部を形成し、前記ネック部は外側に開口する第１開口を有し、前記ネック部の他端は外側に開口する第２開口を有し、前記第１開口に結合部材が結合されているコップと、
前記結合部材に締め付けられており、前記結合部材との間に通気可能な隙間が存在し、前記結合部材を緩めることで前記隙間の大きさを調整可能であり、前記結合部材は縦方向に形成されている少なくとも一つのエア通路を有し、前記エア通路により前記結合部材との間のエアの流動を補助可能な調節部材と、
制止部材とフィルム台とフィルムとを有し、前記制止部材は上間隔部を有し、前記上間隔部は通気穴を有し、前記フィルム台は前記上間隔部の下方に位置する下間隔部を有し、前記下間隔部は下貫通孔を有し、前記上間隔部と前記下間隔部との間にフィルム室が形成されており、前記フィルムは前記フィルム室に設けられておりスリットを有し、前記通気穴と前記スリットと前記下貫通孔とがエア進出用の通路を形成する閉鎖アセンブリと、
を備えることを特徴とする真空吸引補助器。
【請求項２】
前記コップは、内部に中空な軟性樹脂スリーブが設置されており
前記軟性樹脂スリーブは、縮径する入口端を有し、内部にダイヤフラムが設けられていることを特徴とする請求項１に記載の真空吸引補助器。
【請求項３】
前記上間隔部は上貫通孔に位置する上凹部を有し、
前記フィルム台は前記下貫通孔に位置する下凹部を有し、
前記上凹部と前記下凹部の間には、前記フィルム室の移動空間が形成されており、
前記下間隔部の前記下貫通孔は、前記上間隔部の前記上貫通孔より小さく形成されていることを特徴とする請求項１に記載の真空吸引補助器。
【請求項４】
前記閉鎖アセンブリは保護スリーブと保護スリーブフィルムとをさらに有し、
前記保護スリーブフィルムは、前記保護スリーブの底部に設けられており、前記保護スリーブによって前記フィルム台の底部に結合されていることを特徴とする請求項１に記載の真空吸引補助器。
【請求項５】
前記コップは、前記第２開口に近接する一端に伸縮スリーブが設けられていることを特徴とする請求項１に記載の真空吸引補助器。
【請求項６】
前記フィルムは、突起が設けられており、上周面および下周面を有し、
前記上周面に設けられている前記突起が上凸点であり、
前記下周面に設けられている前記突起が下凸点であり、
前記上周面の前記上凸点が設けられている箇所は、それぞれ前記下周面の前記下凸点が設けられている箇所に対応し、
前記下凸点は前記上凸点より小さく形成されていることを特徴とする請求項１に記載の真空吸引補助器。
【発明の詳細な説明】
【技術分野】
【０００１】
本発明は、男性に利用される真空吸引補助器に関し、特に、男性の生殖器の勃起を補助する真空吸引補助器に関するものである。
【背景技術】
【０００２】
図５を参照する。図５は従来の真空吸引補助器を示す斜視図である。従来の真空吸引補助器９１は、男性の生殖器の勃起の補助器具であり、コップ９１０と、押圧式吸引具９１１と、を含み、コップ９１０と押圧式吸引具９１１が管路９１２を介して接続する。真空吸引補助器９１を利用するときには、男性の生殖器をコップ９１０に差し込んで、押圧式吸引具９１１の球体９１３を押圧することにより、コップ９１０が負圧になって男性の生殖器を勃起させることが可能である。
【０００３】
真空吸引補助器９１は、外部の器具の作動によりコップ９１０を負圧にするため、外部の器具の作動が停止すると、コップ９１０の負圧がなくなる。このため、ユーザは外部の器具を引き続く作動することが必要であるが、そうすると、体力がかなり掛かる問題があった。
【先行技術文献】
【特許文献】
【０００４】
【特許文献１】特開２０１０−１２５３３５号公報
【発明の概要】
【発明が解決しようとする課題】
【０００５】
本発明の主な目的は、ユーザの感じによって、利用時のコップの入気量及び排気量を調整することにより、コップにおいて、生殖器が後退しているときの負圧と生殖器が前進しているときの抵抗を調整することが可能であり、男性の生殖器を勃起させることが可能であり、そして大人のおもちゃとすることも可能な真空吸引補助器を提供することにある。
【課題を解決するための手段】
【０００６】
本発明の真空吸引補助器は、コップ、調節部材、および閉鎖アセンブリを備える。コップは、中空であり、両端が外側に開口されており、その外径が一端で縮径してネック部を形成する。ネック部は外側に開口する第１開口を有する。ネック部の他端は外側に開口する第２開口を有し、第１開口に結合部材が設けられている。
調節部材は、結合部材に締め付けられており、結合部材との間にやや通気可能な隙間が存在し、結合部材に対して緩めると隙間の大きさを調整することが可能である。結合部材は縦方向に沿う少なくとも一つのエア通路を有し、エア通路により、調節部材と結合部材との間のエアの流動を補助することが可能である。
アセンブリは、制止部材と、フィルム台と、フィルムと、を有する。制止部材は上間隔部を有し、上間隔部は通気穴を有する。フィルム台は、上間隔部の下方に位置する下間隔部を有する。下間隔部は下貫通孔を有し、上間隔部と下間隔部の間にフィルム室が形成されている。フィルムは、フィルム室に設けられており、スリットを有し、通気穴、スリット及び下貫通孔がエア進出の通路を形成する。
【０００７】
本発明の真空吸引補助器によると、コップには、中空な軟性樹脂スリーブが配されている。軟性樹脂スリーブは縮径する入口端を有し、軟性樹脂スリーブ内にダイヤフラムが設けられている。
【０００８】
本発明の真空吸引補助器によると、上間隔部は上貫通孔に位置する上凹部を有し、フィルム台は下貫通孔に位置する下凹部を有する。上凹部と下凹部の間には、フィルム室の移動空間が形成されている。下間隔部の下貫通孔は、上間隔部の上貫通孔よりも小さく形成されている。
【０００９】
本発明の真空吸引補助器によると、閉鎖アセンブリは、更に、保護スリーブと、保護スリーブフィルムと、を有する。保護スリーブフィルムは、保護スリーブの底部に設けられており、保護スリーブによってフィルム台の底部に結合されている。
【００１０】
本発明の真空吸引補助器によると、コップの第２開口に近接する一端に伸縮スリーブが設けられている。
【００１１】
本発明の真空吸引補助器によると、フィルムは、複数の突起が設けられている、上周面と、下周面と、を有する。上周面に設けられている突起が上凸点であり、下周面に設けられている突起が下凸点であり、上周面のこれらの上凸点が設けられている箇所は、それぞれ下周面のこれらの下凸点が設けられている箇所に対応する。下凸点は上凸点よりも小さく形成されている。
【００１２】
本発明の真空吸引補助器によれば、ユーザの感じによって、利用時のコップの入気量及び排気量を調整することにより、コップにおいて、生殖器が後退しているときの負圧と生殖器が前進しているときの抵抗を調整することが可能であり、男性の生殖器を勃起させることが可能であり、そして大人のおもちゃとすることも可能であるという効果を有する。
【図面の簡単な説明】
【００１３】
【図１】本発明の一実施形態を示す斜視図である。
【図２】本発明の一実施形態を示す断面図である。
【図３】本発明の一実施形態を示す分解斜視図である。
【図４】本発明の一実施形態の内部に、生殖器を前進して後退する動作を示す模式図である。
【図５】従来の真空吸引補助器を示す斜視図である。
【発明を実施するための形態】
【００１４】
以下、本発明の一実施形態を図面に基づいて説明する。
図１から図４を参照する。図１は本発明の一実施形態を示す斜視図であり、図２は本発明の一実施形態を示す断面図であり、図３は本発明の一実施形態を示す分解斜視図であり、図４は、本発明の一実施形態の内部に、生殖器を前進して後退する動作を示す模式図である。図１から図４に示すのは、本発明を説明するために挙げた五つの実施形態の構造だけであり、本発明の特許請求範囲を限定するためのものではない。
【００１５】
本発明の一実施形態の真空吸引補助器は、コップ１と、結合部材２と、調節部材３と、軟性樹脂スリーブ４と、閉鎖アセンブリ５と、を含む。
【００１６】
コップ１は、中空であり、両端が外側に開口されており、第１開口１１を有し、ネック部１０の他端が外側に開口する第２開口１２を有する。コップ１の両端は、それぞれ第１開口１１と第２開口１２を介して外部と連通する。第１開口１１に結合部材２が設けられている。
【００１７】
本実施形態のコップ１の第２開口１２の一端は台座１３を有する。台座１３は、コップ１から延びる内側リング部１３０を含み、内側リング部１３０がコップ１と一体成形される。内側リング部１３０の内部には、嵌めリング１３１と、内側リング部１３０と結合可能な外蓋１３２と、が設けられている。外蓋１３２は、内側リング部１３０をカバーするように設けられており、内側リング部１３０と係合する。コップ１の第２開口１２に近接する一端に伸縮スリーブ１４が設けられている。
【００１８】
結合部材２はネック部１０に締め付けられている。結合部材２により第１開口１１が封止される。結合部材２によって第１開口１１を封止するときには、エアが第１開口１１を経由して進出することができない。本実施形態では、結合部材２から延長部２１が延びており、当接部２１１が形成されている。延長部２１を調節部材３に締め付けることが可能である。調節部材３と延長部２１の間には、やや通気可能な隙間が設けられている。延長部２１は、縦方向に沿うように設けられている二つのエア通路２１０を有する。エア通路２１０により、調節部材３とコップ１の間のエアの流動が更に順調となる。延長部２１に調節部材３を締め付けると、調節部材３の底部が当接部２１１の上部に緊迫する。調節部材３を緩めることにより、調節部材３の底部と当接部２１１の間の隙間の大きさを調節することが可能である。
【００１９】
軟性樹脂スリーブ４は、中空であり、コップ１に入れられている。本実施形態の軟性樹脂スリーブ４は、縮径する入口端４１を有する。入口端４１の穴径は、軟性樹脂スリーブ４内の中空部分よりも小さく、女性の膣口をシミュレーションするものである。男性の生殖器は、入口端４１から軟性樹脂スリーブ４に差し込む。軟性樹脂スリーブ４の第１開口１１に近接する一端にダイヤフラム４０が設けられている。ダイヤフラム４０は、軟性樹脂スリーブ４と一体成形され、水が通過可能である。ダイヤフラム４０により、精液が軟性樹脂スリーブ４の外部に流出することはない。
【００２０】
軟性樹脂スリーブ４の入口端４１は底部４２を有する。底部４２は、規制されて嵌めリング１３１と外蓋１３２の間に位置する。嵌めリング１３１は、少なくとも一つ以上の嵌めリング内径を有し、入口端４１の穴径を調整することが可能である。嵌めリング１３１により、生殖器Ａの血液が一時的に回流できず、これにより、生殖器Ａの勃起時間を延ばすことが可能である。嵌めリング１３１は、少なくとも一つ以上の嵌めリング内径を有するため、異なる直径を有する生殖器Ａの根部を嵌めることが可能であり、ユーザに要求される緊迫度に合うことが可能である。
【００２１】
本実施形態の閉鎖アセンブリ５は、延長部２１の内側に設けられており、制止部材５０と、フィルム台５１と、フィルム５２と、保護スリーブ５３と、保護スリーブフィルム５４と、を含む。
【００２２】
制止部材５０は上間隔部５０１を有する。上間隔部５０１は、上凹部５０２と、上貫通孔５０３と、を有する。
【００２３】
本実施形態では、フィルム台５１と延長部２１が同じ部材であり、硬質なものである。フィルム台５１は、上間隔部５０１の下方に位置する下間隔部５１０を有する。下間隔部５１０は、下凹部５１１と、下貫通孔５１２と、を有する。下凹部５１１と上凹部５０２の間にフィルム室５１３が形成されている。本実施形態では、下貫通孔５１２が上貫通孔５０３よりも小さい。
【００２４】
フィルム室５１３にフィルム５２が設けられている。フィルム５２の上周面と下周面には、突起とスリット５２０が設けられている。これにより、エアは、一側又は周辺から進出し、又は流動不能にすることが可能である。調節部材３を回転しているときには、制止部材５０の底面が同期に上昇し、又は降下することにより、フィルム５２が押し上げられることが可能である。フィルム５２は、弾性を有し、前記上周面に設けられている前記突起が上凸点５２３であり、前記下周面に設けられている前記突起が下凸点５２２であり、前記上周面のこれらの上凸点５２３が設けられている箇所は、それぞれ前記下周面のこれらの下凸点５２２が設けられている箇所に対応する。下凸点５２２は上凸点５２３よりも小さい。フィルム台５１にフィルム５２を入れると、フィルム５２の下凸点５２２により、フィルム台５１とフィルム５２の間に隙間が形成される。調節部材３を回転しているときには、制止部材５０の底面が同期に上昇し、又は降下することにより、エアのコップ１への流入量及び流出量を調節することが可能である。
【００２５】
本発明のフィルム５２は、前記突起が制止部材５０に当接して隙間が形成されるため、調節部材３を微調整しているときに、制止部材５０が同期に上昇し、又は降下して、フィルム５２も同期に上昇し、又は降下する。これにより、エアの流入量又は排出量を精確に制御することが可能であり、コップ１内の負圧の大きさを変更することが可能である。
【００２６】
保護スリーブフィルム５４は保護スリーブ５３の底部に設けられている。保護スリーブ５３は、エラストマーであり、フィルム台５１の底部に嵌め設けられており、結合部材２内に位置する。保護スリーブフィルム５４は、スリット５４０を有するため、フィルム室５１３の清潔を保持することが可能であり、コップ１内のエアがスリット５４０を通過することが可能である。
【００２７】
次に、本発明の使用状態を説明する。まず、男性であるユーザは、手でコップ１を握って生殖器Ａに嵌めて、コップ１を前後で往復に移動する。コップ１内のエアが第１開口１１から、閉鎖アセンブリ５の保護スリーブフィルム５４を経由して、下貫通孔５１２を通過して、フィルム室５１３に流入する。このとき、エアがフィルム５２を上凹部５０２まで押し上げて、フィルム５２が上方へ変形して、スリット５２０が開けられて、エアがスリット５２０を経由して上貫通孔５０３を通過する。コップ１内のエアは、生殖器Ａの前進の抵抗を形成する。このとき、エアが結合部材２とネック部１０の間を経由して外部へ流出する。逆に、生殖器Ａを入口端４２へ後退するときには、エアが上記の経路の逆方向に沿ってコップ１に回流する。エアがフィルム５２を通過しているときには、フィルム５２が下凹部５１１まで押し下げて、フィルム５２が下方へ変形して、スリット５２０が開けられて、エアがスリット５２０を経由して下貫通孔５１２と保護スリーブフィルム５４を通過して、コップ１に流入する。
【００２８】
このため、上記の説明から、本発明の長所は下記の通りである。調節部材３を回転することにより、調節部材３とフィルム台５１（すなわち、延長部２１であり）の間の隙間を微調整することが可能である。フィルム５２により、エアがスリット５２０を通過し、且つフィルム５２の上凸点５２３と下凸点５２２との大きさの異なりにより、フィルム５２が昇降可能となって、エアは双方向に流動することが可能である。これにより、コップ１において、生殖器Ａを後退しているときに、負圧による吸引力により、生殖器Ａを勃起させることが可能である。そしてコップ１において、生殖器Ａを前進しているときに発生する負圧と、生殖器Ａを後退しているときに発生する抵抗とは、生殖器Ａが膣内に前後動する状況に良く近似する。このように、本実施形態の真空吸引補助器を利用すれば、性交に良く近似する効果を有する。
【００２９】
一方、ユーザがコップ１を握って生殖器Ａを前後動しているときには、伸縮スリーブ１４が伸縮可能なため、コップ１において、生殖器Ａの前後動可能のストロークが増加する。このため、伸縮スリーブ１４によってエアを圧縮することにより、生殖器Ａの前後動による負圧によって、生殖器を勃起する能力を少し持つユーザの生殖器の勃起を補助することが可能であり、すなわち、生殖器がコップ１にゆっくり吸い込まれた後、ユーザは生殖器を前後で往復に移動することが可能である。
【００３０】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施形態に変更、追加、または、削除を施してもよいことがわかる。
【００３１】
本発明は、男性の生殖器を勃起させるための補助器具に適用することができる。
【符号の説明】
【００３２】
１  コップ
２  結合部材
３  調節部材
４  軟性樹脂スリーブ
５  閉鎖アセンブリ
１０  ネック部
１１  第１開口
１２  第２開口
１３  台座
１４  伸縮スリーブ
２１  延長部
４０  ダイヤフラム
４１  入口端
４２  底部
５０  制止部材
５１  フィルム台
５２  フィルム
５３  保護スリーブ
５４  保護スリーブフィルム
９１  真空吸引補助器
１３０  内側リング部
１３１  嵌めリング
１３２  外蓋
２１０  エア通路
２１１  当接部
５０１  上間隔部
５０２  上凹部
５０３  上貫通孔
５１０  下間隔部
５１１  下凹部
５１２  下貫通孔
５１３  フィルム室
５２０  スリット
５２２  下凸点
５２３  上凸点
５４０  スリット
９１０  コップ
９１１  押圧式吸引部材／吸引器
９１２  管路
９１３  球体
【図１】
2016504122.tif 000003
【図２】
2016504122.tif 000004
【図３】
2016504122.tif 000005
【図４】
2016504122.tif 000006
【図５】
2016504122.tif 000007
【国際調査報告】
2016504122.tif 000008
2016504122.tif 000009
2016504122.tif 000010
2016504122.tif 000011